(57)【要約】使い捨て吸収性構造体を支持するために使用されるウエストベルトが開示される。同ベルトは、ベルトの長手方向中心線に沿って位置する中央部分と、中央部分から横断方向外側に伸びる少なくとも２つの中間部分と、中間部分から横断方向外側に伸びる少なくとも２つの遠位部分とを含む。各中間部分は、ベルトが装着されたとき着用者のウエスト側面を覆う。各中間部分の長手方向の長さは、中央部分のそれより長く、また各遠位部分のそれよりも長い。ベルトは、着用者のウエストの周囲でベルトを取り外し可能に固定するために、遠位部分の少なくとも１つに位置する締結具要素と、使い捨て構造体をベルトに取り外し可能に取り付けるために、少なくとも各中間部分に形成した取り付け表面とを更に含む。そのようなベルトを含む吸収性物品も開示される。
2006515199.tif 000002
【特許請求の範囲】
【請求項１】
使い捨て吸収性構造体を支持するウエストベルトであって、前記ベルトが、長手方向中心線、横断方向中心線、着用者に面する表面、前記表面の反対側の表面、前記横断方向中心線に関して対向配置した２つの端縁部、及び前記長手方向中心線に関して対向配置した２つの側縁部を有し；
前記ベルトは、中央部分、少なくとも２つの中間部分、及び少なくとも２つの遠位部分を含み；
前記中央部分が、前記長手方向中心線に沿って位置し、また前記長手方向中心線のどちらの側においても前記長手方向中心線から横断方向外側に伸び、前記中央部分は、前記中央部分の前記端縁部間の距離によって規定される第１の長手方向の長さを有し；
各中間部分が、前記中央部分から横断方向外側に伸び、また前記中央部分と遠位部分との間に位置し、各中間部分は、前記ベルトが装着されたときに着用者のウエスト側面を覆い、各中間部分は、各中間部分の前記端縁部間の距離によって規定される第２の長手方向の長さを有し；
各遠位部分が、中間部分から横断方向外側に伸び、また前記ベルトの前記側縁部の１つを含み、各遠位部分は、各遠位部分の前記端縁部間の距離によって規定される第３の長手方向の長さを有し；
前記第２の長手方向の長さが、前記第１の長手方向の長さより長く、また前記第３の長手方向の長さよりも長く；また
前記ベルトは、前記ベルトを前記着用者のウエストの周囲に取り外し可能に固定するために前記遠位部分の少なくとも１つに位置する締結具要素と、前記使い捨て構造体を前記ベルトに取り外し可能に取り付けるために少なくとも各中間部分の反対側の表面に形成した取り付け表面とを含むウエストベルト。
【請求項２】
前記吸収性集合体を前記ベルトに取り外し可能に取り付けるための前記取り付け表面が、前記中間部分及び前記遠位部分の前記反対側の表面に形成された請求項１に記載のウエストベルト。
【請求項３】
前記吸収性構造体を前記ベルトに取り外し可能に取り付けるための前記取り付け表面が、前記中間部分及び前記中央部分の前記反対側の表面に形成された請求項１に記載のウエストベルト。
【請求項４】
前記ベルトが成人の着用者用に設計される場合、前記中間部分の前記第２の長手方向の長さが１００ｍｍ〜２５０ｍｍである請求項１に記載のウエストベルト。
【請求項５】
前記ベルトが乳幼児の着用者用に設計される場合、前記中間部分の前記第２の長手方向の長さが５０ｍｍ〜１００ｍｍである請求項１に記載のウエストベルト。
【請求項６】
長手方向中心線、横断方向中心線、着用者に面する表面、及び前記表面の反対側の表面を有する吸収性物品であって；
前記吸収性物品が次の：
液体透過性トップシート、液体不透過性バックシート、前記トップシートと前記バックシートとの間に位置する吸収性コア、及び前記使い捨て構造体の前記着用者に面する表面に設けた取り付け手段を含む使い捨て吸収性構造体；並びに
前記横断方向中心線に関して対向配置した２つの端縁部と、前記長手方向中心線に関して対向配置した２つの側縁部とを有するウエストベルトを含み、前記ベルトが、中央部分、少なくとも２つの中間部分、及び少なくとも２つの遠位部分を含み；
前記中央部分が、前記長手方向中心線に沿って位置し、また前記長手方向中心線のどちら側においても前記長手方向中心線から横断方向外側に伸び、前記中央部分は、前記中央部分の前記端縁部間の距離によって規定される第１の長手方向の長さを有し；
各中間部分が、前記中央部分から横断方向外側に伸び、また前記中央部分と遠位部分との間に位置し、各中間部分は、前記ベルトが装着されたときに着用者のウエスト側面を覆い、各中間部分の前記端縁部間の距離によって規定される第２の長手方向の長さを有し；
各遠位部分が、中間部分から横断方向外側に伸び、また前記べルトの前記側縁部の１つを含み、各遠位部分は、各遠位部分の前記端縁部間の距離によって規定される第３の長手方向の長さを有し；
前記第２の長手方向の長さが前記第１の長手方向の長さより長く、また前記第３の長手方向の長さよりも長く；また
前記ベルトは、前記ベルトを前記着用者のウエストの周囲に取り外し可能に固定するために前記遠位部分の少なくとも１つに位置する締結具要素と、前記ベルトの少なくとも各中間部分の反対側の表面に形成した取り付け表面とを含み、前記取り付け表面が、前記使い捨て構造体を前記ベルトに取り外し可能に取り付けるために前記取り付け手段に対して相補的である吸収性物品。
【請求項７】
前記ベルトが成人の着用者用に設計される場合、前記中間部分の前記第２の長手方向の長さが１００ｍｍ〜２５０ｍｍである請求項７に記載の吸収性物品。
【請求項８】
前記ベルトが乳幼児の着用者用に設計される場合、前記中間部分の前記第２の長手方向の長さが５０ｍｍ〜１００ｍｍである請求項７に記載の吸収性物品。
【発明の詳細な説明】
【技術分野】
【０００１】
本発明は、失禁症状のある乳児、小児、又は成人のために使用され、ウエストベルト及び吸収性構造体を含む吸収性物品に関する。より具体的に本発明は、使い捨て吸収性構造体を支持するための再利用可能なウエストベルトに関する。
【背景技術】
【０００２】
失禁症状のある人の身体排泄物の収集を助けるために装着される使い捨て吸収性物品は、当該技術分野において周知である。そのような従来の技術には、着用者のウエストの周囲に吸収性物品を取り付けるためのベルトを含む吸収性物品が含まれる。例えば、米国特許第５，１３５，５２２号（ファーレンクラグ（Fahrenkrug）ら、１９９２年８月４日発行）は、使い捨て吸収性シャーシ構造体と、着用者のウエストの周囲におむつを取り付けるための再利用可能な伸縮性ベルトとを含むおむつを開示している。ファーレンクラグ（Fahrenkrug）の特許で開示されたベルトは、シャーシ構造体の側縁部に形成した開口を通り、次にシャーシを着用者の体にぴったり配置するために、ベルトの末端部が着用者の周囲で互いに係合する。そのような構造は、おむつが着用されている間、シャーシ構造体がベルトでしっかりと支持されるのを可能にする。しかし、同特許のおむつには、ユーザ又は介護人が、使用したシャーシ構造体を別のものと取り替えるときにいつも、着用者の体からベルトを取り外す必要があるという欠点がある。
【０００３】
別の代表的なベルト付き吸収性物品が、例えば米国特許第５，９０６，６０４号（ローンバーグ（Ronnberg）ら、１９９９年５月２５日発行）に開示されている。これは、吸収性衣類を支持するためのウエストベルトを開示している。ローンバーグ（Ronnberg）の特許では、方形の形状のベルトが最初に装着されて、着用者のウエストを取り囲み、次にベルトは、ベルトに設けた機械的締結具で適所に締結される。次に、吸収性衣類の一方の末端部が、着用者のウエストの背側の、ベルトの外側に、吸収性衣類に設けたフックタイプの締結具で取り付けられる。次に、吸収性衣類のもう一方の末端部を着用者の脚の間に通し、着用者のウエストの腹側の、ベルトの外側に、吸収性衣類に設けたもう１つのフックタイプの締結具で固定する。米国特許第５，９７１，９７０号（カールバーク（Carlbark）ら、１９９９年１０月２６日発行）と、米国特許第６，４３２，０９９号Ｂ２（ローンバーグ（Ronnberg）、２００２年８月１３日発行）も、米国特許第５，９０６，６０４号のものに類似する、吸収性衣類を支持するためのウエストベルトを開示している。
【０００４】
上述のような先行技術では、着用者の体にウエストベルトが装着された後、使い捨て吸収性構造体がウエストベルトに取り付けられる。それ故に、ユーザ及び／又は介護人は、使用した吸収性構造体を別のものと取り替えるときに着用者の体からベルトをわざわざ取り外す必要がない。これが結果として、使用した吸収性構造体を新しいものと交換するプロセスの能率を上げる。しかし、使い捨て吸収性構造体を支持するためのそのような従来のウエストベルトには、ユーザ及び／又は介護人が吸収性構造体をウエストベルトに取り付けようとするとき、ウエストベルト上の吸収性構造体の位置を随意に調節するのが困難であるという欠点がある。そのような欠点は、従来のウエストベルトが典型的には細長い形で提供されるという事実から生じる。ウエストベルトの細長い形のために、従来のウエストベルトの幅は、ウエストベルト上の吸収性構造体の位置を自由に調節するのに充分ではない。これに関する１つの解法は、ウエストベルトの幅を増大することであるが、ウエストベルトの幅を不用意に広げると、着用者の脚の動きを妨げることがある。加えて、そのような単に幅が広いだけのウエストベルトは、吸収性構造体の排便箇所にえ近い着用者の皮膚を覆うので、吸収性構造体に排泄された排泄物で汚れがちである。このために、ユーザ及び／又は介護人は、汚れたウエストベルトを新しいものと頻繁に交換する必要がある。ウエストベルトのそのように頻繁な交換は、結果として、消費者にとってウエストベルトの費用を増大させる。
【発明の開示】
【発明が解決しようとする課題】
【０００５】
それ故に、ユーザ及び／又は介護人が使い捨て構造体をウエストベルトに取り付けるとき、ウエストベルト上の使い捨て吸収性構造体の位置を容易に調節するのを可能にする、ウエストベルト及び使い捨て吸収性構造体を含む吸収性物品が依然として必要とされている。着用者の脚の動きを妨げることなくウエストベルト上の使い捨て構造体の位置を調節するのに充分な取り付け面積を有し、またウエストベルトが装着されている間容易に汚れない、使い捨て構造体を支持するための改良されたウエストベルトを提供する必要性が依然としてある。
【課題を解決するための手段】
【０００６】
ウエストベルトは、使い捨て吸収性構造体を支持するために使用される。同ベルトは、ベルトの長手方向中心線に沿って位置する中央部分と、中央部分から横断方向外側に伸びる少なくとも２つの中間部分と、中間部分から横断方向外側に伸びる少なくとも２つの遠位部分とを含む。ベルトが装着されたとき、各中間部分は、着用者のウエスト側面を覆う。各中間部分の長手方向の長さは、中央部分のそれより長く、また各遠位部分のそれよりも長い。ベルトは更に、着用者のウエストの周囲でベルトを取り外し可能に固定するために遠位部分の少なくとも１つに位置する締結具要素と、使い捨て構造体をベルトに取り外し可能に取り付けるために少なくとも各中間部分に形成した取り付け表面とを含む。
【０００７】
すべての引用された文書は、関連部分において参考として本明細書に組み込まれるが、いずれの文書の引用も、それが本発明に関して先行技術であるという承認として解釈されるべきではない。
【発明を実施するための最良の形態】
【０００８】
本発明を具体的に説明し、明確に発明を請求する請求項によって本発明書は完結するが、本発明は、添付図面と合わせて以下に説明される好ましい実施形態によって更に理解が深まるものと考えられ、図面中で同様の参照番号は、同一の要素であるとする。
【０００９】
最初に、読者の本発明に対する理解を助けるため、いくつかの用語の定義を行う。用語「含む」は、本明細書において使用するとき、最終結果に影響しない他の工程及び他の成分が加えられ得ることを意味する。この用語は、用語「〜から成る」及び「本質的に〜から成る」を包含する。本明細書で使用する用語「使い捨て」は、一般に、洗濯、又は別の方法で修復若しくは再使用することを意図しない物品を説明する（すなわち、１回使用したら廃棄し、好ましくは、リサイクルし、堆肥化し、又は環境に適合する別の方法で処理することを意図する）。本明細書で使用する用語「排泄物」又は「身体排泄物」は互換性があり、人体の排泄開口部から排出された糞便物質、尿、経血など全ての排泄物を含む。本明細書で使用する用語「排泄開口部」は、排泄が起こるとき、排泄物が通過して、人体からの排泄物を排出する開口部を指す。そのような排泄開口部には、尿道、膣開口部、肛門などが挙げられる。本明細書に使用する用語「接合した」又は「接合する」は、ある要素を他の要素に直接固着することによって、要素を他の要素に直接固定する構成；ある要素を中間部材に固着し、次にその中間部材を他の要素に固着することによって、ある要素を他の要素に間接的に固定する構成；及びある要素が他の要素と一体化する構成、すなわち、ある要素が本質的に他の要素の一部分である構成を包含する。
【００１０】
図１及び図２は、失禁に役立つものとして使用するのに好適であるがそれに限定されない、２部分からなる取り外し可能な吸収性物品１００である、本発明の吸収性物品の一実施形態を示している。本明細書で使用する用語「吸収性物品」は、排泄物を吸収して閉じ込める装置を指し、より具体的には、着用者の体に押し付けて又は近接して配置され、体から排泄された様々な排泄物を吸収して閉じ込める装置を指す。本明細書で使用する吸収性物品１００の構成要素は、いかなる構成要素の破壊又は過度のゆがみもなく、１回を超過して取り付けられ、また取り外されてもよい場合、「取り外し可能」又は「分離可能」であると考えられる。用語「取り外し可能」及び「分離可能」は、互いに互換性がある。吸収性物品１００は、使い捨て吸収性構造体２００及びウエストベルト３００を含む。使い捨て構造体２００及びウエストベルト３００は、互いに取り外し可能に取り付けられる。図２に示されるように、使い捨て構造体２００がウエストベルト３００に取り付けられるとき、吸収性物品１００は長手方向中心線Ｌ１を有する。本明細書で使用する用語「長手方向」は、吸収性物品１００が装着されたとき、立っている着用者を体の右半分及び左半分に二分する垂直な平面とほぼそろう（例えば、ほぼ平行な）吸収性物品１００の平面における線、軸線、又は方向を指す。図２に示される吸収性物品１００は、横断方向中心線Ｔ１も有する。本明細書で使用する用語「横断方向」又は「横方向」は互換性があり、また長手方向にほぼ垂直である、吸収性物品１００の平面の中にある線、軸線、又は方向を指す。吸収性物品１００は２つの表面を有し、１つは着用者に面する表面１１０であり、もう１つは反対側の表面１２０である。着用者に面する表面１１０とは、物品１００が装着されたときにほぼ着用者の方を向く物品１００の表面である。着用者に面する表面１１０は、典型的には物品１００の使用中、少なくとも部分的に着用者の皮膚と接触している。反対側の表面１２０は、物品１００が装着されたときに着用者からほぼ離れた向きであり、また衣類が着用される場合に少なくとも部分的に衣類の方を向く物品１００の表面である。
【００１１】
本明細書で使用する用語「使い捨て吸収性構造体」は、身体排泄物を獲得及び貯蔵するために、典型的には液体透過性トップシート、液体不透過性バックシート、及び吸収性コアを含む構造体を指す。そのような使い捨て構造体は、複合的な吸収性構造体構造を形成するために加えられる他の特徴を更に含んでもよい。図１は、使い捨て構造体２００の構造をより明確に示すために構造の一部分を切欠し、また使い捨て構造体２００の着用者に面する部分（すなわち、着用者に面する表面）が見る人の方を向き、広げて非収縮状態の（すなわち、弾性で引き起こされた収縮を広げた）、本発明による使い捨て吸収性構造体２００の一実施形態の平面図を示している。図１に示されるように、使い捨て吸収性構造体２００は、着用者に面する表面２０１、反対側の表面２０２、後側区域２０３、後側区域２０３と反対側の前側区域２０４、及び後側区域２０３と前側区域２０４との間に位置する股区域２０５を有する。使い捨て構造体２００は、側縁部２０６及び端縁部２０７によって規定される周辺部を更に有する。後側区域２０３及び前側区域２０４は、端縁部２０７から股区域２０５に向かって伸びる。使い捨て吸収性構造体２００は、好ましくは、吸収性ユニット２１０と、吸収性ユニット２１０が配置される外側シャーシ２６０と、使い捨て吸収性構造体２００の着用者に面する表面２０１に設けた取り付け手段２８０とを含む。
【００１２】
吸収性ユニット２１０は、液体透過性トップシート２２０、液体不透過性バックシート２３０、トップシート２２０とバックシート２３０との間に位置する吸収性コア２４０を含む。吸収性ユニット２１０は、好ましくは一対の伸縮性バリアカフ２５０を更に含む。トップシート２２０は、好ましくは吸収性コア２４０の着用者に面する表面に隣接するように位置し、また好ましくは、当該技術分野において周知のものなどの手段（図示せず）で、同表面及びバックシート２３０に接合している。トップシート２２０及びバックシート２３０は、互いに直接接合してもよい。あるいは、トップシート２２０及びバックシート２３０は、当該技術分野において既知のいかなる好適な手段によっても、吸収性コア２４０、伸縮性バリアカフ２５０など、他の要素にそれらのシートを直接接合することによって互いに間接的に接合してもよい。バックシート２３０は、好ましくは吸収性コア２４０の反対側の表面に隣接するように位置し、また好ましくは、当該技術分野で既知のいかなる好適な手段によっても同表面に接合する。吸収性ユニット２１０を形成するために、トップシート２２０、バックシート２３０、及び吸収性コア２４０は、周知の様々な構成で組み合わせられてもよいものの、代表的な構造体の構成は、米国特許第５，０７４，８５４号；米国特許第４，７１０，１８７号；及びＰＣＴ国際公開特許ＷＯ９０／０４３７５に記載されている。
【００１３】
トップシート２２０は、好ましくは、柔軟で、柔らかい感触で、また着用者の皮膚に刺激がない。更に、トップシート２２０は、好ましくは液体（例えば尿）がその厚さを容易に透過することを可能にする液体透過性である。好適なトップシート２２０は、織布材料及び不織布材料；孔あき成形熱可塑性フィルム、孔あきプラスチックフィルム、及びハイドロフォーミングされた熱可塑性フィルムなど高分子材料；多孔質発泡体；網状発泡体；網状熱可塑性フィルム；及び熱可塑性スクリムなど、広範囲の材料から製造されてもよい。好適な織布材料及び不織布材料は、天然繊維（例えば、木材繊維若しくは綿繊維）、合成繊維（例えば、ポリエステル繊維、ポリプロピレン繊維、若しくはポリエチレン繊維などの高分子繊維）、又は天然繊維と合成繊維との組み合わせを含むことができる。
【００１４】
バックシート２３０は、吸収性コア２４０に吸収され、閉じ込められた身体排泄物が、ベッドシーツ及び下着など、吸収性物品１００に接触する他の物品を濡らすのを防ぐためである。故に、バックシート２３０は、好ましくは液体（例えば尿）に対して不透過性であり、また好ましくは、薄いプラスチックフィルムから製造されるが、他の可撓性のある液体不透過性材料も使用されてもよい。しかし、バックシート２３０は、蒸気を吸収性物品１００から逃がすのが望ましい。バックシート２３０として好適な材料は、約０．０１２ｍｍ（０．５ミル）〜約０．０５１ｍｍ（２．０ミル）の厚さを有し、好ましくはポリエチレン又はポリプロピレンを含む熱可塑性フィルムである。
【００１５】
吸収性コア２４０は、尿及び他の身体排泄物など、液体を吸収及び保持できるいかなる吸収性部材であってもよい。吸収性コア２４０は、多種多様の寸法及び形（例えば、方形、砂時計形、「Ｔ」字形、非対称形など）で製造されてもよい。好ましくは吸収性コア２４０は、超吸収性材料、及び超吸収性材料のための支持手段を含む。この実施形態では、支持手段は、好ましくはエアフェルトと一般に呼ばれる粉砕木材パルプから形成される。吸収性コア２４０の形体及び構成は多様であってもよい（例えば、吸収性コアは、多様なキャリパーゾーン、親水性勾配、超吸収性勾配、若しくは低い平均密度及び低い平均坪量獲得区域を有してもよいか、又は１つ以上の層若しくは構造を含んでもよい）。更に、吸収性コア２４０の寸法及び吸収能力も、乳幼児から成人にわたる着用者に適応するために多様であってもよい。
【００１６】
吸収性ユニット２１０は、好ましくは液体及び他の身体排泄物の閉じ込めを改善するための一対の伸縮性バリアカフ２５０を更に含む。伸縮性バリアカフ２５０は、典型的にはバリアシート２５１及び弾性的スペーサー部材２５２を含む。伸縮性バリアカフ２５０は、固定縁部２５３及び自由縁部２５４を有する。固定末端部２５３は、当該技術分野で周知のものなどの手段（図示せず）で、トップシート２２０、バックシート２３０、吸収性コア２４０など、下にある構成要素に接合する。弾性的スペーサー部材２５２は、弾性的バリアカフ２５０の自由縁部２５４に隣接するようにバリアシート２５１で囲まれる。弾性的スペーサー部材２５２は、バリアカフ２５０の自由縁部２５４を、使い捨て吸収性構造体２００の股区域２０５におけるトップシート２２０から離して立ちあがらせる。そのような伸縮性バリアカフは、身体排泄物の漏れを低減するために様々な実施形態を含んでもよいものの、代表的な構造が、米国特許第４，６９５，２７８号；米国特許第４，７９５，４５４号；及び米国特許第５，６８５，８７４号に記載されている。
【００１７】
外側シャーシ２６０は、その着用者に面する表面の吸収性ユニット２１０を支持するために、バックシート２３０の反対側の表面の少なくとも一部分と接合してもよい。あるいは、吸収性使い捨て構造体２００が吸収性ユニット２１０のみを含む場合、外側シャーシ２６０は省いてもよい。外側シャーシ２６０は、側縁部及び端縁部によって規定される周辺部を有する。図１に示される実施形態では、外側シャーシ２６０の側縁部及び端縁部はそれぞれ、使い捨て吸収性構造体２００の側縁部２０６及び端縁部２０７に対応している。外側シャーシ２６０は、１層又は複数層、好ましくは２層又は３層を含み得る。図１に示される実施形態では、外側シャーシ２６０は、着用者に面する層２６１及び反対側の層２６２を含む２層を備えている。着用者に面する層２６１は、外側シャーシ２６０の着用者に面する表面に位置し、また典型的には、吸収性物品１００が装着されたときに着用者の皮膚と少なくとも部分的に接触する。反対側の層２６２は、外側シャーシ２６０の反対側の表面に位置し、また典型的には、衣類が着用される場合に少なくとも部分的に着用者の衣類と接触する。外側シャーシ２６０は、吸収性物品１００が装着されている間着用者の脚の周囲に使い捨て構造体２００を適合させるために、側縁部２０６に隣接する１本以上の弾性ストランド２７０を更に含む。これも、結果として、吸収性物品１００が装着されている間身体排泄物が側縁部２０６から漏れるのを防ぐ。更に、外側シャーシ２６０は、好ましくは１つ以上の伸縮性区域２６３を含む。伸縮性区域２６３は、弾力的に拡張及び収縮して、吸収性物品１００の使用中に使い捨て構造体２００が着用者の体に動的に適合することを意図している。図１に示されるように、伸縮性区域２６３は、好ましくは取り付け手段２８０に隣接している。外側シャーシ２６０は、好ましくは不織布材料を含む。あるいは、外側シャーシ２６０は、織ったウェブ、スクリム、フィルム、ゆるい繊維などの材料、又は当該技術分野で既知のいかなる他の材料若しくは材料の組み合わせを含んでもよい。外側シャーシ２６０が２つの層、すなわち着用者に面する層２６１及び反対側の層２６２を含む場合、これらの層は、不織布又はポリマー被膜などのいかなる材料を含んでもよい。好ましい実施形態では、層は、２つの不織布層を含む積層体、又は不織布層及びポリマー被膜から形成されてもよい。
【００１８】
使い捨て構造体２００の着用者に面する表面２０１に設けた取り付け手段２８０は、ウエストベルト３００の反対側の表面に使い捨て吸収性構造体２００を取り付けるために機能する。好ましい実施形態では、取り付け手段２８０は、ウエストベルト３００の反対側の表面に対して相補的であるフックタイプの材料の１つ以上のパッチ（断片）である。あるいは、ウエストベルト３００の反対側の表面がフックタイプの材料を含む場合、取り付け手段２８０は、受け材料の１つ以上のパッチであってもよい。本明細書で使用する用語「フックタイプの材料」は、基材に接合した、また基材から突き出る締着装置を有するいかなる材料も指す。締着装置は、基材に接合したシャンク（脚）から、典型的には放射状に突き出た１つ以上の機械的係合手段を有してもよい。係合手段は、典型的にはフックタイプの材料の、相補的な受け材料の露出した表面を貫通し、また同表面に固定される部分である。好適なフックタイプの材料は、ミネソタ・マイニング・アンド・マニュファクチャリング社（Minnesota Mining and Manufacturing Company）（ミネソタ州ミネアポリス）からモデル番号ＸＰＯ−００４０で、またベルコＵＳＡ社（Velcro U.S.A.,Inc.）（ニューハンプシャー州マンチェスター）からフック８８で販売されている。本明細書で使用する用語「受け材料」は、フックタイプの材料に対して相補的な、ぴったりして隙間のない開口部を備える、露出した表面を有するいかなる材料も指す。そのような開口部は、典型的には１本以上のストランド又は繊維により規定される。相補的なフックタイプの材料は、受け材料の露出した表面に捕らえられてもよく、また支障を与えずに引き抜かれなくてもよい。本明細書で説明される実施形態では、約０．８ｍｍのパイル高を有するループ状の材料が、受け材料としてうまく働く。ストランド又は繊維間の開口部が、フックタイプの材料の少なくとも１つの係合手段に、受け材料の露出した表面を貫通させ、またそれによって係合する又は捕らえる寸法である場合、フックタイプの材料と受け材料とは、「相補的」と考えられる。好ましくは、パッチ２８１が、使い捨て構造体２００の着用者に面する表面２０１に配置され、図１に示されるように、パッチ２８１のそれぞれは使い捨て構造体２００の４つの角２０８のそれぞれに隣接してもよい。より好ましくは、角２０８に設けたパッチ２８１の他に、使い捨て構造体２００の着用者に面する表面２０１に追加的パッチ２８２が配置され、パッチ２８２は、前側区域２０４の端縁部２０７に隣接してもよい。そのような追加的パッチは、後側区域２０３の端縁部２０７に隣接するように配置されてもよい。パッチ２８１、２８２は、当該技術分野において周知のいかなる手段で使い捨て構造体２００に接合されてもよく、その接合強度は所望の剥離強度及びずれ強度を超える。パッチ２８１、２８２は、図１で示される実施形態において外側シャーシ２６０の着用者に面する表面に配置されるものの、パッチ２８１、２８２は、吸収性ユニット２１０の着用者に面する表面に配置されてもよい。別の実施形態（図示せず）では、取り付け手段２８０は、フック又はループタイプの材料のパッチの代わりに接着剤の１つ以上のパッチであってもよい。好適な接着剤は、イーストマン・ケミカル・プロダクツ社（Eastman Chemical Products Company）（テネシー州キングスポート（Kingsport））から商品名イーストボンド（Eastobond）Ａ−３で販売されている。接着剤のパッチが取り付け手段２８０として選択される場合、ウエストベルト３００は、そのような接着剤のパッチが容易に接着する相補的な表面を提供することに適合するべきである。ポリエチレン材料は、そのような相補的な取り付け表面を有するウエストベルト３００を提供するのに好適である。
【００１９】
ウエストベルト３００は、使い捨て吸収性構造体２００が取り付けられる、吸収性物品１００の構成要素である。ウエストベルト３００は着用者のウエストを取り囲み、また吸収性物品１００が装着されている間使い捨て構造体２００を支持する。ウエストベルト３００は、好ましくは再利用可能であり、また身体排泄物の収集で汚れることを意図していない。ウエストベルト３００は、吸収性コア２４０がそのような身体排泄物で充満するときに装着されることも意図している。本明細書で使用する用語「再利用可能」は、１回の使用後に捨てられるよりも、洗濯され、修復されることを意図する吸収性物品又はその構成要素を指す。ウエストベルト３００は、外観が清潔で、着用者の皮膚に刺激がなく、また広範囲の着用者の寸法に適応可能でありたい。必須ではないが、一定時間を超えて所定の着用者に適合する１つのウエストベルト３００を有することが望ましいことがあり、又は別の方法としては、特に施設での使用では、そのようなウエストベルト３００は、洗濯され、衛生的にされ、また様々な着用者の間で交換されてもよい。ウエストベルト３００は、使用中、例えば、座る、歩くなどの典型的な装着状態でウエストベルト３００に力が働くとき、破壊に抵抗するために、充分な強度を有するように設計される。好ましい実施形態では、ウエストベルト３００は、単一の材料片から作製されてもよい。あるいは、ウエストベルト３００は、同一であっても又は異なってもよく、また互いに接合した多くの別個の材料片から作製されてもよい。ウエストベルト３００は、１層又は複数層、好ましくは２層又は３層を含んでもよい。ウエストベルト３００の層は、不織布、ポリマー被膜、織ったウェブ、スクリムなどのいかなる材料、又は当該技術分野において既知のいかなる他の材料若しくは材料の組み合わせを含んでもよい。好ましい実施形態では、そのような層は、２つの不織布層を含む積層体、又は不織布層及びポリマー被膜から形成されてもよい。ウエストベルト３００の着用者に面する表面３０１に位置する層は、好ましくは不織布層を備える。そのような不織布層は、着用者の皮膚に柔軟な表面を提供し、故に、皮膚の健康を大きく改善する。ウエストベルト３００はまた、３つの層を含んでもよく；１層が被膜層で、２層が不織布層である。好ましくは、被膜は、２つの不織布層の間に挟まれてもよい。層のこの順序は、着用者の皮膚との接触においてとりわけ心地良い感覚を有する閉じた繊維構造を結果としてもたらすことになる。ウエストベルト３００を構成する１層又は複数層の不織布層は、疎水性であっても又は親水性であってもよい。
【００２０】
図３は、使い捨て構造体２００を支持するために使用される、本発明によるウエストベルト３００の好ましい実施形態を示し、広げて非収縮状態で、同ベルト３００の着用者に面する部分（すなわち、着用者に面する表面）が見る人に向いている。図３に示されるウエストベルト３００は、長手方向中心線Ｌ２、及び同線に垂直である横断方向中心線Ｔ２を有する。ウエストベルト３００に使用するとき、用語「長手方向」は、図２に示されるように使い捨て構造体２００がウエストベルト３００に取り付けられたときに吸収性物品１００の長手方向Ｌ１に実質的に平行である、好ましくは一致する、ウエストベルト３００の平面における線、軸線、又は方向を指す。ウエストベルト３００に使用するとき、用語「横断方向」又は「横方向」は、長手方向にほぼ垂直である、ウエストベルト３００の平面における線、軸線、又は方向を指す。ウエストベルト３００は、２つの表面を有し；１つは着用者に面する表面３０１であり、もう１つは反対側の表面３０２である。ウエストベルト３００は、横断方向中心線Ｔ２に関して対向配置した２つの端縁部３０３、３０４と、長手方向中心線Ｌ２に関して対向配置した２つの側縁部３０５、３０６とを更に有する。ウエストベルト３００は、中央部分３１０、少なくとも２つの中間部分３２０（３２０ａ、３２０ｂ）、及び少なくとも２つの遠位部分３３０（３３０ａ、３３０ｂ）を含む。ウエストベルト３００は、図３に示されるような締結具要素３４０を更に含む。ウエストベルト３００は、ウエストベルト３００が意図される着用者群次第でいかなる寸法で提供されてもよい。ウエストベルト３００の横断方向の長さは、横断方向中心線Ｔ２に沿って測定される。成人の着用者用にウエストベルト３００が設計される場合、ウエストベルトは、約１２５ｍｍ〜約１６００ｍｍ、好ましくは約５００ｍｍ〜約１３００ｍｍの横断方向の長さＴＬを有してもよい。更に、乳幼児の着用者用にウエストベルト３００が設計される場合、ウエストベルト３００は、約５０ｍｍ〜約７００ｍｍ、好ましくは約２００ｍｍ〜約５００ｍｍの横断方向の長さＴＬを有してもよい。ウエストベルト３００の長手方向の長さについては、次のように説明される。
【００２１】
中央部分３１０は、長手方向中心線Ｌ２に沿って位置し、また長手方向中心線Ｌ２のどちら側においても長手方向中心線Ｌ２から横断方向外側に伸びる。中央部分３１０は、中央部分３１０の端縁部３０３、３０４間の距離により規定される第１の長手方向の長さ３１１を有する。ウエストベルト３００が装着されたとき、中央部分３１０は、好ましくは着用者のウエストの背側を覆ってもよい。あるいは、ウエストベルト３００は、中央部分３１０が着用者のウエストの腹側を覆うように装着されてもよい。ウエストベルト３００が装着されたとき、特に中央部分３１０が着用者のウエストの背側を覆う場合、中央部分３１０は、当該技術分野において周知のものなどの手段（図示せず）で、部分的に、また全体的に伸縮性を持たせて、弾力的に拡張及び収縮してもよい。そのような伸縮性のある中央部分３１０は、ウエストベルト３００が装着されている間同ベルト３００が着用者の体に動的に適合するのを助ける。中央部分３１０の第１の長手方向の長さ３１１は、長手方向中心線Ｌ２に沿って測定される。成人の着用者用にウエストベルト３００が設計される場合、第１の長手方向の長さ３１１は、約５ｍｍ〜約２５０ｍｍ、好ましくは約５０ｍｍ〜約１００ｍｍであってもよい。更に、乳幼児の着用者用にウエストベルト３００が設計される場合、第１の長手方向の長さ３１１は、約５ｍｍ〜約１００ｍｍ、好ましくは約３０ｍｍ〜約５０ｍｍであってもよい。中央部分３１０はまた、横断方向の長さ３１２を有してもよい。中央部分３１０の横断方向の長さ３１２は、図３に示されるように横断方向中心線Ｔ２に沿って測定される。成人の着用者用にウエストベルト３００が設計される場合、中央部分３１０は、約５０ｍｍ〜約５００ｍｍ、好ましくは約１００ｍｍ〜約３００ｍｍの横断方向の長さ３１２を有してもよい。更に、乳幼児の着用者用にウエストベルト３００が設計される場合、中央部分３１０は、約２０ｍｍ〜約２００ｍｍ、好ましくは約５０ｍｍ〜約１００ｍｍの横断方向の長さ３１２を有してもよい。
【００２２】
各中間部分３２０ａ、３２０ｂは、中央部分３１０から横断方向外側に伸び、また中央部分３１０と遠位部分３３０との間に位置する。ウエストベルト３００が装着されたとき、各中間部分３２０ａ、３２０ｂは、着用者のウエスト側面を覆う。各中間部分３２０は、各中間部分３２０ａ、３２０ｂの端縁部３０３、３０４間の距離により規定される第２の長手方向の長さ３２１を有する。中間部分３２０は、当該技術分野において周知のものなどの手段（図示せず）により、弾力的に拡張及び収縮するように、部分的に、また全体的に伸縮性を持たせてもよい。そのような伸縮性のある中間部分３２０は、ウエストベルト３００が装着されている間同ベルト３００が着用者の体に動的に適合するのを助ける。特に、中間部分３２０の少なくとも端縁部３０４には伸縮性を持たせるのが好ましい。中間部分３２０のそのような伸縮性のある端縁部３０４は、使い捨て構造体２００の側縁部２０６に沿って設けた弾性ストランド２７０と協働し、着用者の脚の周囲における吸収性物品１００の適合性を改善する。中間部分３２０の第２の長手方向の長さ３２１は、長手方向中心線Ｌ２に沿って測定される。成人の着用者用にウエストベルト３００が設計される場合、第２の長手方向の長さ３２１は、約３０ｍｍ〜約４００ｍｍ、好ましくは約１００ｍｍ〜約２５０ｍｍであってもよい。更に、乳幼児の着用者用にウエストベルト３００が設計される場合、第２の長手方向の長さ３２１は、約２０ｍｍ〜約２００ｍｍ、好ましくは約５０ｍｍ〜約１００ｍｍであってもよい。中間部分３２０は、横断方向の長さ３２２も有してもよい。図３に示されるように、中間部分３２０の横断方向の長さ３２２は、横断方向中心線Ｔ２に沿って測定される。成人の着用者用にウエストベルト３００が設計される場合、中間部分３２０は、約５０ｍｍ〜約５００ｍｍ、好ましくは約１００ｍｍ〜約３００ｍｍの横断方向の長さ３２２を有してもよい。更に、乳幼児の着用者用にウエストベルト３００が設計される場合、中間部分３２０は、約２０ｍｍ〜約２００ｍｍ、好ましくは約５０ｍｍ〜約１００ｍｍの横断方向の長さ３２２を有してもよい。
【００２３】
各遠位部分３３０ａ、３３０ｂは、対応する中間部分３２０から横断方向外側に伸び、またウエストベルト３００の側縁部３０５、３０６の１つを含む。各遠位部分３３０ａ、３３０ｂは、各遠位部分３３０ａ、３３０ｂの端縁部３０３、３０４間の距離により規定される第３の長手方向の長さ３３１を有する。ウエストベルト３００が装着されたとき、遠位部分３３０は、好ましくは着用者のウエストの腹側を覆ってもよい。あるいは、ウエストベルト３００は、遠位部分３３０が着用者のウエストの背側を覆うように装着されてもよい。ウエストベルト３００が装着されたとき、特に遠位部分３３０が着用者のウエストの背側を覆う場合、弾力的に拡張及び収縮するように、遠位部分３３０には、当該技術分野において周知であるものなどの手段（図示せず）により部分的に、また全体的に伸縮性を持たせてもよい。ウエストベルト３００が装着されている間、そのような伸縮性のある遠位部分３３０は、同ベルト３００が着用者の体に動的に適合するのを助ける。遠位部分３３０の第３の長手方向の長さ３３１は、長手方向中心線Ｌ２に沿って測定される。成人の着用者用にウエストベルト３００が設計される場合、第３の長手方向の長さ３３１は、約５ｍｍ〜約２５０ｍｍ、好ましくは約５０ｍｍ〜約１００ｍｍであってもよい。更に、乳幼児の着用者用にウエストベルト３００が設計される場合、第３の長手方向の長さ３３１は、約５ｍｍ〜約１００ｍｍ、好ましくは約３０ｍｍ〜約５０ｍｍであってもよい。遠位部分３３０はまた、横断方向の長さ３３２を有してもよい。図３に示されるように、遠位部分３３０の横断方向の長さ３３２は、横断方向中心線Ｔ２に沿って測定される。成人の着用者用にウエストベルト３００が設計される場合、遠位部分３３０は、約２０ｍｍ〜約３００ｍｍ、好ましくは約５０ｍｍ〜約１５０ｍｍの横断方向の長さ３３２を有してもよい。更に、乳幼児の着用者用にウエストベルト３００が設計される場合、遠位部分３３０は、約２０ｍｍ〜約１５０ｍｍ、好ましくは約３０ｍｍ〜約８０ｍｍの横断方向の長さ３３２を有してもよい。
【００２４】
本発明によれば、各中間部分３２０ａ、３２０ｂの第２の長手方向の長さ３２１は、中央部分３１０の第１の長手方向の長さ３１１より長く、また各遠位部分３３０ａ、３３０ｂの第３の長手方向の長さ３３１よりも長い。更に、図４において斜線を引いた部分で示されるように、使い捨て構造体２００をベルト３００に取り外し可能に取り付けるために、少なくともウエストベルト３００の各中間部分３２０ａ、３２０ｂの反対側の表面３０２に、取り付け表面３５０が形成される。各取り付け表面３５０は、使い捨て構造体２００をウエストベルト３００に取り外し可能に取り付けるために、使い捨て構造体２００の取り付け手段２８０に対して相補的である。ウエストベルト３００及び使い捨て構造体２００が装着されたときのそれらの斜視図が、図４及び図５のそれぞれにおいて概略的に示され、また更に、ウエストベルト３００が使い捨て構造体２００を支持するときの吸収性物品１００の斜視図が、図６において概略的に示されている。図４〜図６で示されるように、パッチ２８１は、使い捨て構造体２００の後側区域２０３及び前側区域２０４に位置し、吸収性物品１００が装着されたとき、ウエストベルト３００の取り付け表面３５０に相補的に取り付けられる。本発明の吸収性物品１００の典型的な配置では、ウエストベルト３００の着用者に面する表面３０１に設けた締結具要素３４０をウエストベルト３００の反対側の表面３０２に取り付けることにより、まず、ウエストベルト３００を着用者のウエストの周囲に締着する。次に、使い捨て構造体２００の後側区域２０３に設けたパッチ２８１を、ウエストベルト３００の各中間部分３２０ａ、３２０ｂの取り付け表面３５０に取り付ける。続いて、使い捨て構造体２００の前側区域２０４を着用者の股を通して前に持って来て、最後に、図６に示されるように、使い捨て構造体２００の前側区域２０３に設けたパッチ２８１を、ウエストベルト３００の各中間部分３２０ａ、３２０ｂの取り付け表面２５０に取り付ける。中間部分３２０の第２の長手方向の長さ３２１が、中央部分３１０及び遠位部分３３０の第１及び第３の長手方向の長さ３１１、３３１より長いので、本発明のウエストベルト３００は、同ベルト３００上の使い捨て構造体２００の位置を（特に長手方向において）調節するのに充分な取り付け面積を提供する。これは、本発明の吸収性物品１００が様々な寸法の着用者に適用可能であるという長所を提供する。本発明の吸収性物品１００によれば、使い捨て構造体２００が、着用者のウエストの周囲に固定されたウエストベルト３００に取り付けられた後でも、ユーザ及び／又は介護人は、着用者からウエストベルト３００を取り外すことなく同ベルト３００上の使い捨て構造体２００の位置を容易に調節できる。本発明のウエストベルト３００は、使い捨て構造体２００の取り付け手段２８０が相補的に取り付けられるのに充分な取り付け面積（すなわち、各中間部分３２０ａ、３２０ｂの取り付け表面３５０）を提供するので、吸収性物品１００が装着されたとき、様々な寸法を有する補足的な吸収性パッドなど、他の吸収性物品を使い捨て構造体２００に追加的に配置できる。中央部分３１０及び遠位部分３３０が長手方向に短いという事実にもかかわらず、中央部分３１０及び遠位部分３３０と対比してそのような長手方向に長い中間部分３２０は、ウエストベルト３００の使用中に同ベルト３００がねじれるのを有効に防ぐ。これは、中間部分３２０が着用者の体と広く接触し、それを覆うからである。更に、中央部分３１０及び遠位部分３３０は、中間部分３２０より長手方向に短いので、ウエストベルト３００が装着されている間、本発明のウエストベルト３００は着用者の脚の動きをほとんど妨げない。中央部分３１０及び遠位部分３３０の端縁部３０４は、着用者の排泄開口部から離れて位置するので、中間部分３２０と対比してそのような長手方向に短い中央部分３１０及び遠位部分３３０は、使い捨て構造体２００に排泄される身体排泄物で汚れることがほとんどない。好ましくは、ウエストベルト３００が装着された場合、遠位部分３３０が着用者のウエストの腹側を覆うように、取り付け表面３５０が、中間部分３２０の他に遠位部分３３０の反対側の表面３０２に形成されてもよい。あるいは、ウエストベルト３００が装着された場合、中央部分３３０が着用者のウエストの腹側を覆うように、取り付け表面３５０が、中間部分３２０の他に中央部分３１０の反対側の表面３０２に形成されてもよい。遠位部分３３０又は中央部分３１０に形成したそのような取り付け表面３５０は、使い捨て構造体２００とウエストベルト３００との間のよりしっかりした取り付けのために、使い捨て構造体２００の端縁部２０７に隣接する上述の追加的パッチ２８２が、ウエストベルト３００の反対側の表面３０２に固定されるのを可能にする。取り付け表面３５０は、ウエストベルト３００の反対側の表面３０２と一体であってもよく、又はウエストベルト３００の反対側の表面３０２に取り付けた別個の要素であってもよい。ウエストベルト３００の取り付け表面３５０として好適な材料は、使い捨て構造体２００の取り付け手段２８０のための、例えばフックタイプの材料、受け材料、又は接着剤のパッチが接着する相補的な取り付け表面に関して上述された。好ましい実施形態では、取り付け表面３５０は、クラレ（KURARAY Co.）からモデル番号ＣＸ−７８０で販売されている受け材料を含んでもよい。
【００２５】
締結具要素３４０は、ウエストベルト３００を着用者のウエストの周囲に取り外し可能に固定するために、同ベルト３００の遠位部分３３０ａ、３３０ｂの１つに位置する。締結具要素３４０は、好ましくは、遠位部分３３０ａ、３３０ｂの１つの、着用者に面する表面３０１に配置されて、ウエストベルト３００の側縁部３０５又は３０６に隣接する。図３に示される実施形態では、締結具要素３４０は、遠位部分３３０の側縁部３０６に隣接するように配置されている。図４に示されるように、ウエストベルト３００は、締結具要素３４０を同ウエストベルト３００の反対側の表面３０２に取り付けることにより着用者のウエストの周囲に固定される。締結具要素３４０は、好ましくはウエストベルト３００の反対側の表面３０２に対して相補的であるフックタイプの材料の、１つ以上のパッチである。あるいは、ウエストベルト３００の反対側の表面３０２がフックタイプの材料を含む場合、締結具要素３４０は、受け材料の１つ以上のパッチであってもよい。別の実施形態では、締結具要素３４０がウエストベルト３００の着用者に面する表面３０１に対して相補的である場合、締結具要素３４０は、ウエストベルト３００の反対側の表面３０２に配置されてもよい。締結具要素３４０は、当該技術分野において周知のいかなる手段によりウエストベルト３００の着用者に面する表面３０１又は反対側の表面３０２に接合されてもよく、その接合強度は、所望の剥離強度及びずれ強度を超える。別の実施形態では（図示せず）、締結具要素３４０は、フック又はループタイプの材料のパッチの代わりに、接着剤の１つ以上のパッチであってもよい。接着剤のパッチが、締結具要素３４０として選択される場合、そのような接着剤のパッチが容易に接着する相補的な取り付け表面は、ウエストベルト３００の着用者に面する表面３０１又は反対側の表面３０２に設けられるべきである。
【００２６】
使い捨て構造体２００はウエストベルト３００に取り付けられて、同ウエストベルト３００の取り付け表面３５０と使い捨て構造体２００の取り付け手段２８０とが相互に作用して、物品１００が装着されている間に発生する剥離力に抵抗するべきである。本明細書で使用する用語「剥離力」は、吸収性物品１００の構成要素が互いに取り付けられたとき、同吸収性物品１００の１つの構成要素が同物品１００の他の構成要素から分離するための力を指す。更に、使い捨て構造体２００の取り付け手段２８０は、ウエストベルト３００の取り付け表面３５０に取り外し可能に取り付けられるべきであるものの、ウエストベルト３００への使い捨て構造体２００の取り付けは、上述の剥離力に抵抗する。それ故に、取り付け手段２８０が取り付け表面３５０から取り外されるとき、取り付け手段２８０及び／又は取り付け表面３５０は破れることがあるので、ウエストベルト３００の取り付け表面３５０に対する使い捨て構造体２００の取り付け手段２８０の剥離力は、大きすぎるべきでない。故に、ウエストベルト３００の取り付け表面３５０に対して、使い捨て構造体２００の取り付け手段２８０は、好ましくは約０．５Ｎ／ｃｍ〜約１０Ｎ／ｃｍ、より好ましくは約２Ｎ／ｃｍ〜約３Ｎ／ｃｍでありたい。
【００２７】
次の方法は、使い捨て構造体２００の取り付け手段２８０とウエストベルト３００の取り付け表面３５０との材料の組み合わせの剥離力をＮ／ｃｍで測定する手順を説明している。使い捨て構造体２００の取り付け手段２８０とウエストベルト３００の取り付け表面３５０との剥離力の測定に使用される好適な用具は、デジタル読み取り装置、又は荷重及び伸長用ストリップチャートデータ表示装置のどちらを備えてもよいインストロン（INSTRON）５５６４である。次の手順が、２３℃（７３°Ｆ）及び相対湿度５０％の標準実験状態で最低２．０時間行われる。
【００２８】
（１）取り付け手段２８０の材料を２５ｍｍｘ９０ｍｍの寸法を有するストリップに切断して、試料Ａを作製し、取り付け表面３５０の材料を５０ｍｍｘ１００ｍｍの寸法を有するストリップに切断して、試料Ｂを作製する。
（２）互いに全体的に重なり合うように試料Ａを試料Ｂに接着して、試料ストリップを作製する。測定のために、少なくとも３つの試料ストリップを作製されたい。
（３）直径９５ｍｍ、幅４５ｍｍ、及び重さ２ｋｇの、ゴムでコーティングされたスチールローラーを、試料ストリップ上で試料ストリップの長さの方向に前後に１回、回転させる（合計、２回通過する）。
（４）試料ストリップを用具内に配置する。試料ストリップを配置する方法は、まず、試料Ａの非接着末端部を用具の上部クランプに挿入し、次に、試料ストリップのいかなるたるみも取り除くように充分に引っ張って、試料Ｂの非接着末端部を下部クランプに挿入することである。
（５）試料が互いに完全に分離するまで、３００ｍｍ／分の剥離速度で試料ストリップの試料Ａを同ストリップの試料Ｂから剥離する。
（６）５ｍｍ〜２５ｍｍの剥離範囲（すなわち、上部クランプと下部クランプとの間の距離の変化）における剥離力の値を読み取る。
（７）手順（６）で読み取った剥離力の値の最高値を読み取る。
（８）他の試料ストリップについて、上記手順（１）〜（７）を繰り返す。
（９）剥離力を次のように計算する：
【００２９】
【数１】
2006515199.tif 000003
上記で得た特定の剥離力のパラメーターにより、ウエストベルト３００の取り付け表面３５０に使い捨て構造体２００の取り付け手段２８０を取り付けると、有効性が増大した製品が得られる。例えば、取り付け表面３５０に対する取り付け手段２８０の剥離力が、上記で得た特定の剥離力より小さい場合、使い捨て構造体２００の取り付け手段２８０は、吸収性物品１００が装着されている間にウエストベルト３００の取り付け表面３５０から容易に剥がれる。これが、吸収性物品１００の使用中に使い捨て構造体２００に閉じ込められた身体排泄物の漏れを生じることがある。対照的に、取り付け表面３５０に対する取り付け手段２８０の剥離力が、上記で得た特定の剥離力より大きい場合、ユーザ及び／又は介護人が、ウエストベルト３００の取り付け表面３５０から使い捨て構造体２００の取り付け手段２８０を取り外すのは困難である。そのような場合、ユーザ／介護人が、ウエストベルト３００の取り付け表面３５０から使い捨て構造体２００の取り付け手段２８０を無理に取り外そうとする場合、使い捨て構造体２００の取り付け手段２８０及び／又はウエストベルト３００の取り付け表面３５０は裂けることさえある。
【図面の簡単な説明】
【００３０】
【図１】本発明の吸収性物品の、一実施形態の平面図。
【図２】使い捨て構造体の後側区域がウエストベルトに取り付けられたときの、図１の吸収性物品の平面図。
【図３】本発明のウエストベルトの、一実施形態の平面図。
【図４】ウエストベルトが装着されたときの、図１〜図３に示されたウエストベルトの概略的斜視図。
【図５】使い捨て吸収性構造体が装着されたときの、図１及び図２に示された使い捨て吸収性構造体の概略的斜視図。
【図６】吸収性物品が装着されたときの、同吸収性物品の概略的斜視図。
【図１】
2006515199.tif 000004
【図２】
2006515199.tif 000005
【図３】
2006515199.tif 000006
【図４】
2006515199.tif 000007
【図５】
2006515199.tif 000008
【図６】
2006515199.tif 000009
【国際調査報告】
2006515199.tif 000010
2006515199.tif 000011
2006515199.tif 000012